(57)【要約】【課題】水洗トイレのロータンク内に設置する水洗トイレ用洗浄剤溶出装置における、新品の固形洗浄剤の適切な投入時期あるいは交換時期を容易に視認できる、新規な水洗トイレ用洗浄剤溶出装置を提供する。【解決手段】水洗トイレ用洗浄剤溶出装置は、固形洗浄剤１０を収容する洗浄剤容器１と、洗浄剤容器１を水洗トイレのロータンク内に吊り下げるための吊り下げ部材２とを有する。洗浄剤容器１は、ロータンク内の水を洗浄剤容器１内に導入し且つフラッシュ時に洗浄剤容器１内の水を排出するための開口部１ａを有すると共に、その内部空間Ｓには、収容する固形洗浄剤１０が溶解して小さくなるに連れて下方に移動できるように、下方に向かって裾細となるようなテーパーが設けられている。このような水洗トイレ用洗浄剤溶出装置は、固形洗浄剤１０の下方への移動の程度を認識するためのインジケータ手段を有する。【選択図】  図１
2004150197.tif 000002
【特許請求の範囲】
【請求項１】
固形洗浄剤を収容する洗浄剤容器と、該洗浄剤容器を水洗トイレのロータンク内に吊り下げるための吊り下げ部材とを有する水洗トイレ用洗浄剤溶出装置であって、
該洗浄剤容器は、ロータンク内の水を該洗浄剤容器内に導入し且つフラッシュ時に該洗浄剤容器内の水を排出するための開口部を有し、且つ該洗浄剤容器の内部空間には、収容する固形洗浄剤が溶解して小さくなるに連れて下方に移動できるように、下方に向かって先細となるようなテーパーが設けられており、
更に、固形洗浄剤の下方への移動の程度を認識するためのインジケータ手段が設けられている水洗トイレ用洗浄剤溶出装置。
【請求項２】
該インジケータ手段が、固形洗浄剤に取り付けられた紐部材からなり、その紐部材の先端が該洗浄剤容器の吊り下げ部材の表面に形成されたガイド溝を経由し、ロータンクの外部に垂れ下がっている請求項１記載の水洗トイレ用洗浄剤溶出装置。
【請求項３】
該固形洗浄剤の中心に芯体が設置されており、その芯体に該紐部材の一端が固定されている請求項２記載の水洗トイレ用洗浄剤溶出装置。
【請求項４】
該芯体が水よりも比重の大きいおもりである請求項２記載の水洗トイレ用洗浄剤溶出装置。
【請求項５】
吊り下げ部材の一部がロータンクの外部に位置しており、該吊り下げ部材の一部の表面に、該固形洗浄剤の交換時期を示すマークが設けられている請求項１記載の水洗トイレ用洗浄剤溶出装置。
【発明の詳細な説明】
【０００１】
【発明の属する技術分野】
本発明は、固形洗浄剤を収容する洗浄剤容器と、洗浄剤容器を水洗トイレのロータンク内に吊り下げるための吊り下げ部材とを備えた、水洗トイレ用洗浄剤溶出装置に関する。
【０００２】
【従来の技術】
水洗トイレの便器に汚れが付着することを防止すると共にトイレ内の消臭を目的として、ロータンク内に図４に示すような水洗トイレ用芳香洗浄剤供給装置が提案されている（特許文献１参照）。この水洗トイレ用芳香洗浄剤供給装置は、内部に固形の芳香洗浄剤を収容する溶出調節容器４１と、その溶出調節容器４１をロータンク内に吊下げるためのフック状の吊持部材４２とから構成されている。この溶出調節容器４１は、上面４１Ｂが全て開口したボックス形状となっており、正面の側壁４１Ａには、注水口４１ａと排出口４１ｂとが形成されている。
【０００３】
この水洗トイレ用芳香洗浄剤供給装置を、水洗トイレのロータンク内に設置すると、まず、溶出調節容器４１内に主として注水口４１ａと排出口４１ｂとから水が流入し、その水が溶出調節容器４１内の芳香洗浄剤を溶解する。ここで、溶出調節容器４１内への水の出入りは、フラッシュしない限りほとんどないので、水への芳香洗浄剤の溶解速度は、溶出調節容器４１内の限られた水量に飽和すれば非常に遅くなるので、芳香剤洗浄剤が溶解しすぎないようになっている。
【０００４】
【特許文献１】
実開平７−３８２７８号公報
【０００５】
【発明が解決しようとする課題】
しかしながら、特許文献１に開示の水洗トイレ用芳香洗浄剤供給装置を水洗トイレのロータンク内にいったん設置すると、ロータンクの上蓋を開けない限り、芳香洗浄剤の減り具合を外から確認することができないという問題があった。このため、有色の洗浄剤を使用した場合には、水洗トイレのロータンクから排出される水が着色していても、洗浄に十分な量の洗浄剤がロータンク内に存在しているか否かは判断できず、また、無色の洗浄剤を使用した場合には、洗浄剤がロータンク内に存在していること自体を判断することができないために、新品の芳香洗浄剤の適切な投入時期を逸してしまうという問題があった。
【０００６】
本発明の目的は、水洗トイレのロータンク内に設置する水洗トイレ用洗浄剤溶出装置における、新品の固形洗浄剤の適切な投入時期あるいは交換時期を容易に視認できる、新規な水洗トイレ用洗浄剤溶出装置を提供することを目的とする。
【０００７】
【課題を解決するための手段】
本発明者は、水洗トイレのロータンク内に設置された水洗トイレ用洗浄剤溶出装置の洗浄剤容器に収容されている固形洗浄剤の減り具合をロータンクの外から確認できるようにするために、固形洗浄剤が溶出して徐々に小さくなるにつれて、その固形洗浄剤を洗浄剤容器内を移動させるようにし、その移動量を外部から確認できるようにすればよいことを見出し、本発明を完成させた。
【０００８】
即ち、本発明は、固形洗浄剤を収容する洗浄剤容器と、該洗浄剤容器を水洗トイレのロータンク内に吊り下げるための吊り下げ部材とを有する水洗トイレ用洗浄剤溶出装置であって、
該洗浄剤容器は、ロータンク内の水を該洗浄剤容器内に導入し且つフラッシュ時に該洗浄剤容器内の水を排出するための開口部を有し、且つ該洗浄剤容器の内部空間には、収容する固形洗浄剤が溶解して小さくなるに連れて下方に移動できるように、下方に向かって裾細となるようなテーパーが設けられており、
更に、固形洗浄剤の下方への移動の程度を認識するためのインジケータ手段が設けられている水洗トイレ用洗浄剤溶出装置を提供する。
【０００９】
【発明の実施の形態】
図１は、本発明の水洗トイレ用洗浄剤溶出装置の斜視図である。この水洗トイレ用洗浄剤溶出装置は、固形洗浄剤１０を収容する洗浄剤容器１と、洗浄剤容器１を水洗トイレのロータンク内に吊り下げるための吊り下げ部材２とを有する。
【００１０】
洗浄剤容器１は、ロータンク内の水を洗浄剤容器１内に導入し且つフラッシュ時に洗浄剤容器１内の水を排出するための開口部１ａを有する。ここで、図１の態様では、開口部１ａとして垂直方向にスリットを設けている。スリットの長さ、幅については、洗浄剤容器１への水の流入速度、流出速度、洗浄容器１の内部容積、固形洗浄剤の溶解のしやすさ等により、適宜決定することができる。通常は、幅３〜１５ｍｍ、長さ２〜１０ｃｍ程度が好ましい。
【００１１】
なお、開口部１ａはスリットに限定されるものではなく、大きさが数ｍｍ程度の四角形、円形等の穴でもよい。
【００１２】
また、洗浄剤容器１の内部空間Ｓには、収容する固形洗浄剤１０が溶解して小さくなるに伴って、洗浄剤容器１の底部１ｂに移動できるように、下方に向かって先細となるようなテーパーが設けられている。即ち、内部空間Ｓの横断面積が底部１ｂに向かって小さくなるようになっている。
【００１３】
従って、固形洗浄剤１０の形状としては、そのような移動が容易となるような形状が好ましく、円柱状、球状等の形状とすることが好ましい。特に、図１に示すように、固形洗浄剤１０が円柱の場合、その中心に棒状芯体１０ａを設置することが好ましい。固形洗浄剤が球状の場合にはその中心に球状芯体を設置することが好ましい。そのような棒状芯体１０ａの存在は、それに後述する紐部材３の一端を固定できるので好ましい。この場合、棒状芯体１０ａとしては、固形洗浄剤１０を洗浄剤容器１の底部１ｂに確実に移動させるために、水よりも比重が大きく、おもりの機能を有するものが好ましい。具体的には、スチールロッドなどが好ましい。
【００１４】
また、固形洗浄剤１０の組成としては、水でふやけにくく且つ徐々に溶解していく性状の公知の芳香固形洗浄剤を使用することができる。
【００１５】
また、洗浄剤容器１を水洗トイレのロータンク内に吊り下げるための吊り下げ部材２としては、図１の態様では、洗浄剤容器１の背面に付設されたフックであるが、洗浄剤容器１を水洗トイレのロータンク内に吊り下げることが可能な他の手段でもよい。また、吊り下げ部材２は、必要に応じて、垂直方向に伸縮できるようにすることが好ましい。例えば、特許文献１の図５に示すような位置調節機構を設けることができる。これにより、様々な形状、大きさのロータンクに本発明の水洗トイレ用洗浄剤溶出装置を適用することが可能となる。
【００１６】
更に、本発明の水洗トイレ用洗浄剤溶出装置には、固形洗浄剤１０の下方への移動の程度を認識するためのインジケータ手段が設けられている。図１の態様の場合、そのインジケータ手段としては、固形洗浄剤１０に取り付けられた紐部材３からなるものである。具体的には、図２（本発明の水洗トイレ用洗浄剤溶出装置を水洗トイレのロータンク内に設置した場合に生ずる、固形洗浄剤の移動の様子と、その移動に伴う紐部材の動きの様子を示した図）に示すように、水洗トイレ用洗浄剤溶出装置を水洗トイレのロータンクＬＴ内の水Ｗの中に浸積した場合、水中に浸積直後の固形洗浄剤１０は、洗浄剤容器１の下方へ移動することなく、所定の位置に止まっている。そのとき、固形洗浄剤１０の棒状芯体１０ａに固定された紐部材３は、その先端３ａが洗浄剤容器１の吊り下げ部材２の表面に形成されたガイド溝２ａ（図１参照）を経由し、洗浄剤容器１の外部に垂れ下がることになる。ここで、ガイド溝２ａに代えてガイド穴（図示せず）でもよい。また、先端３ａには、棒状芯体１０ａより軽い重りを取り付けることが好ましい。これにより、紐部材３に張りを与えて、固形洗浄剤１０の移動距離を正確に反映させることができる。
【００１７】
洗浄剤容器１の内部空間Ｓ中の水には固形洗浄剤１０が徐々に溶解し、固形洗浄剤１０の大きさも徐々に小さくなる。この状態でフラッシュすると、洗浄剤容器１の内部空間Ｓ中の固形洗浄剤水溶液は、洗浄剤容器１の開口部１ａ（図１参照）から、ロータンク内に排出される。その後、再びロータンク内に水が貯水され、開口部１ａから水が、再び洗浄剤容器１の内部空間Ｓ中に満たされる。
【００１８】
このような操作を繰り返すことにより、固形洗浄剤１０の大きさが小さくなり、紐部材３をロータンク内に引き込みながら、洗浄剤容器１の底部１ｂの方向へ移動する（図中１０’）。そして固形洗浄剤１０がほぼ完全に溶解してしまうと、洗浄剤容器１の底部１ｂに、棒状芯体（１０ａ）が到達する。その結果、紐部材（３）の先端（３ａ）は、初期状態のときよりも上方に位置することになる。
【００１９】
こうして、固形洗浄剤１０の下方への移動の程度が、紐部材３の先端３ａの位置により認識することが可能となる。従って、紐部材３は、固形洗浄剤１０の下方への移動の程度、即ち、固形洗浄剤１０の溶け具合を示すインジケータとして機能するので、紐部材３の先端３ａの位置を手がかりに、固形洗浄剤１０の適切な交換時期を把握することが可能となる。交換時期の判断の例としては、例えば、図３に示すように、吊り下げ部材２の一部２ｂをロータンクの外部に位置するようにし、その表面に、固形洗浄剤の交換時期を示すマーク、例えば「交換時期です」というマークを設けることが挙げられる。この場合、固形洗浄剤が、交換する必要が生じる程度に溶出して小さくなったときに、ロータンク内に引き込まれた紐部材（３）の先端（３ａ）がマークに重なるようにし、そして重なったときに交換するようにすればよい。
【００２０】
以上説明した図１の態様は、インジケータ手段として紐部材３を有する態様であるが、インジケータ手段は紐部材３に限定されず、固形洗浄剤１０の下方への移動の程度を判別できるような金属製やゴム製等の部材が、固形洗浄剤１０と連なり且つその部材の他端がロータンク外から視認できる位置まで延びている手段を採用してもよい。
【００２１】
【発明の効果】
本発明によれば、水洗トイレのロータンク内に設置する水洗トイレ用洗浄剤溶出装置における、新品の固形洗浄剤の適切な投入時期あるいは交換時期を、ロータンクを開けることなく、ロータンクの外側から容易に視認できる、新規な水洗トイレ用洗浄剤溶出装置が提供される。
【図面の簡単な説明】
【図１】本発明の水洗トイレ用洗浄剤溶出装置の斜視図である。
【図２】本発明の水洗トイレ用洗浄剤溶出装置を水洗トイレのロータンク内に設置した場合に生ずる、固形洗浄剤の移動の様子と、その移動に伴う紐部材の動きの様子を示した図である。
【図３】本発明の水洗トイレ用洗浄剤溶出装置における、固形洗浄剤の交換時期の判断の例の説明図である。
【図４】従来の水洗トイレ用芳香洗浄剤供給装置の斜視図である。
【符号の説明】
１  洗浄剤容器
１ａ  開口部
１ｂ  洗浄剤容器の底部
２  吊り下げ部材
２ａ  吊り下げ部材の表面に形成されたガイド溝
３  紐部材
３ａ  紐部材の先端
１０  固形洗浄剤
１０ａ  棒状芯体
Ｓ  洗浄剤容器の内部空間
【図１】
2004150197.tif 000003
【図２】
2004150197.tif 000004
【図３】
2004150197.tif 000005
【図４】
2004150197.tif 000006